(57)【要約】【課題】災害時に体育館などに設置される簡易間仕切りの構造に関し、必要時に各区画内に遮蔽性の高いプライベート領域を安価に形成できるようにする。【解決手段】複数の壁パネル１をその連結部上縁及び下縁に嵌合される嵌合溝７を有する直線金具６ａ及びＬ形金具６ｂを含む連結金具６で連結して区画領域４を形成する簡易間仕切り構造において、両端を上記壁パネル１の上縁間に移動ないし嵌脱可能に係止される杆材１１と、この杆材で支持されて当該杆材１１から延びる一側が垂下され他側が前記区画領域４の少なくとも一部の天井面を覆うように覆着される不透明シート材１３ａとを備えている。杆材１１から垂下されたシート材１３ｂは、プライベート領域の遮蔽性を確保するのに有効である。上下の連結金具６相互を締結ベルトで締結することにより、隣接する壁パネル１相互の連結を強固にできる。【選択図】      図１
2006194043.tif 000002
【特許請求の範囲】
【請求項１】
複数の壁パネルをその連結部上縁及び下縁に嵌合される嵌合溝を有する直線金具及びＬ形金具を含む連結金具で連結して区画領域を形成する簡易間仕切り構造において、両端を上記壁パネルの上縁間に移動ないし嵌脱可能に係止される杆材と、この杆材で一辺を支持されて前記区画領域の少なくとも一部の天井面を覆うように覆着される不透明シート材を備えている、簡易間仕切り構造。
【請求項２】
複数の壁パネルをその連結部上縁及び下縁に嵌合される嵌合溝を有する直線金具及びＬ形金具を含む連結金具で連結して区画領域を形成する簡易間仕切り構造において、両端を上記壁パネルの上縁間に移動ないし嵌脱可能に係止される杆材と、この杆材で支持されて当該杆材から延びる一側が垂下され他側が前記区画領域の少なくとも一部の天井面を覆うように覆着される不透明シート材とを備えている、簡易間仕切り構造。
【請求項３】
両端を上記壁パネルの上縁間に移動ないし嵌脱可能に係止されて前記天井面を形成しているシート材の中間部を支持する補助杆材を備えている、請求項１又は２記載の簡易間仕切り構造。
【請求項４】
複数の壁パネルをその連結部上縁及び下縁に嵌合される嵌合溝を有する直線金具及びＬ形金具を含む連結金具で連結して区画領域を形成する簡易間仕切り構造において、前記上縁及び下縁に装着された前記連結金具相互を上下方向に締結する締結ベルトを備えている、請求項１、２又は３記載の簡易間仕切り構造。
【請求項５】
奥壁(3b)と側壁(3c)とを連結する連結金具(6c,6d)に設けた丸孔(22)に挿通して立設した支柱(19)と、隣接する当該支柱の先端間に懸吊された奥壁(3b)の上方の遮蔽カーテン(21)とを備えた、請求項１から４のいずれか１に記載の簡易間仕切り構造。
【請求項６】
区画領域の一部に壁パネルを平面コ字形に連結してその開口面に不透明シートを懸吊した脱衣領域(4b)を備えている、請求項１から５のいずれか１に記載の簡易間仕切り構造。
【発明の詳細な説明】
【技術分野】
【０００１】
この発明は、地震や水害その他の災害時に避難者を収容する体育館や学校の教室などに設置される簡易間仕切りの構造に関するもので、特に区画された各領域内に遮蔽性の高いプライベート領域を簡易に設けることができる間仕切り構造に関するものである。
【背景技術】
【０００２】
地震や水害などの大規模災害時に強度の高い構造を備えた体育館や学校の教室を避難所とすることは一般的に行われていることである。このような避難所には、多数の人々が一時的に居住するが、区画のない大きな空間に複数の家族が居住することとなるため、プライバシーを確保することができない問題があり、また、所持品が互いに混ざり合って紛失したり、誰の持物か分からなくなってしまうということも起こる。
【０００３】
そこで、このような避難所に一時的に設置するための簡易に組み立て及び撤去が可能な簡易間仕切りが下記特許文献１、２等によって提案されている。この種の簡易間仕切りは、畳や壁の心材などとして用いられている矩形の断熱パネルを直線形、Ｌ形、Ｔ形及び十字形の連結金具で連結して、長屋のように繋がった天井のない複数の区画領域を形成するというものである。
【特許文献１】登録実用新案第３０２３１１７号公報
【特許文献２】特開２００２‐１１５３５７号公報
【発明の開示】
【発明が解決しようとする課題】
【０００４】
従来のこの種の間仕切り構造の各区画領域には天井が設けられていない。間仕切りが設置される体育館や教室にはもちろん天井があり、各間仕切りに天井を設けると採光の問題が生ずることから、天井面を設けないのがよいと考えられる。しかし、天井を設けないで各区画の独立性ないし遮蔽性を高めようとすると、区画壁を高くする必要が生ずる。壁の向こうから中を覗かれないようにするためには、少なくとも１６０ｃｍの壁高さが必要である。
【０００５】
しかし、壁高さを高くすると、周囲の状況を視認することができなくなって、例えば余震が起こったり、食事等を配るときに、全体の状況が把握できなくなり、また隣同士で情報を交換したり助け合ったりするということも行われ難くなる。
【０００６】
そこで折衷的な壁高さとして１１０ｃｍ〜１３０ｃｍとすることが考えられるが、そのような壁高さでは遮蔽性が不十分で、特に着替え時や就寝時のプライバシーの保護に問題がある。また、この種の簡易間仕切りは一時的にのみ用いられるものであるから、コストが安いことと、速やかに調達できることとが必要であるが、パネル材を特殊な寸法にすると、不足が生じたときに調達に時間がかかり、緊急の用に供し得ないという問題が生ずる。
【０００７】
この種の簡易間仕切りの区画壁として用いることができると思われるベニヤ板や断熱ボードの一般的な寸法は、我が国では９０ｃｍ×１８０ｃｍである。
【０００８】
このような大量生産されているパネルの寸法を考慮すると、これらのパネルを横に使った９０ｃｍの壁高さではいかにも遮蔽性に欠けるし、縦に使った１８０ｃｍの壁高さでは、周囲を見渡すことができなくなるために、避難所に設置する区画壁の高さとしては不適切であり、かつ９０ｃｍ高さとした場合に比べて２倍の材料が必要となるため、コスト及び資材の調達の面でも不利である。
【０００９】
この発明は、上述した従来構造の問題点を解決するためになされたもので、区画壁の壁高さを低くして視認性を確保すると共に、着替え時や就寝時などの必要時に区画内の必要な領域を遮蔽することができ、しかもこのような遮蔽構造を安価に実現することができる技術手段を得ることを課題としている。
【課題を解決するための手段】
【００１０】
上記課題を解決した本願の請求項１の発明に係る簡易間仕切り構造は、複数の壁パネル１をその連結部１７の上縁及び下縁に嵌合される嵌合溝７を有する直線金具６ａ及びＬ形金具６ｂを含む連結金具６で連結して区画領域４を形成する簡易間仕切り構造において、両端を上記壁パネル１の上縁間に移動ないし嵌脱可能に係止される杆材１１と、この杆材で一辺を支持されて前記区画領域の少なくとも一部の天井面を覆うように覆着される不透明な天井部シート材１３ａを備えていることを特徴とするものである。
【００１１】
上記課題をより良く解決した本願の請求項２の発明に係る簡易間仕切り構造は、複数の壁パネル１をその連結部上縁及び下縁に嵌合される嵌合溝７を有する直線金具６ａ及びＬ形金具６ｂを含む連結金具６で連結して区画領域４を形成する簡易間仕切り構造において、両端を上記壁パネル１の上縁間に移動ないし嵌脱可能に係止される杆材１１と、この杆材で支持されて当該杆材１１から延びる一側が垂下され他側が前記区画領域４の少なくとも一部の天井面を覆うように覆着される不透明シート材１３ａとを備えていることを特徴とするものである。
【００１２】
壁パネル１としては、実用的には例えば９０ｃｍ×１８０ｃｍ及び９０ｃｍ×９０ｃｍの、量産されている矩形及び正方形の発泡樹脂パネルやハニカム構造の木製ないし段ボール製のパネルが、軽量で保温性及び遮音性に優れている点で、適している。
【００１３】
連結金具６は、少なくとも直線及びＬ形のものが必要であるが、区画領域４を連続して形成するときは、Ｔ形及び十字形のもの６ｃ、６ｄも用いる。この連結金具６は、板金製とするのが製造が容易で嵩張らず、嵌合溝７内に挿入された壁パネル１を弾力で厚さ方向に挟んで嵌合を安定化できる点で好ましい。
【００１４】
杆材１１は、天井面を形成するシート１３ａの一辺（前辺）１３ｆを支持するように設ければよいが、対向両辺（前辺と奥辺）１３ｆ、１３ｒを支持するように２本設けることもできる。杆材１１及び後述する補助杆材１１ｓの壁パネル上縁１ｕへの係止構造としては、杆材の両端にＬ形の係止金具１２を固定して、当該金具のＬの部分を壁パネル１の上縁１ｕに引っ掛ける構造が、製造、組立時及び使用時の着脱操作、開閉操作などの点で好適である。
【００１５】
不透明シート材としては、屋外で資材などを覆うのに用いられているブルーシートを用いるのがコスト及び入手が容易である点で適している。一般に市販されているブルーシートの寸法は、市販の建材パネルの辺長さより短く、壁パネルとの間に隙間ができてしまうので、市販の建材パネルの寸法に適合する大きさのものを用意する。シート材の不透明度は、当該シート材で覆われた内部の様子が明確には視認できない程度の不透明さであれば足り、完全に光を遮断するという程の不透明度は必要としない。
【００１６】
杆材１１から垂下されたシート材１３ｂは、特に天井面のシート材１３ａを壁パネル１による区画領域４の一部を覆うように設けたときに、杆材１１から暖簾のように垂れ下がって、天井面にシート材１３ａを設けたプライベート領域４ａを区画し、当該プライベート領域の遮蔽性を確保するのに有効である。垂れ下がったシート材１３ｂには、暖簾と同様に下方から縦方向の切目１３ｃを複数設けて、容易に一部を開閉できるようにすることもできる。
【００１７】
本願の請求項３の発明は、上記本願の請求項１又は２記載の簡易間仕切り構造において、両端を上記壁パネル１の上縁間に移動ないし嵌脱可能に係止されて前記天井面を形成しているシート材１３ａの中間部を支持する補助杆材１１ｓを備えていることを特徴とするものである。
【００１８】
このような補助杆材１１ｓを設けることにより、天井面のシート材１３ａの中央部が下方に垂れ下がるのを防止でき、特に天井面のシート材１３ａの面積を広くしたときに必要である。
【００１９】
杆材１１を２本設けて天井面のシート１３ａの対向両辺を当該２本の杆材で支持したときは、シートの両側辺のみが壁パネル１の上縁１ｕで支持される。杆材１１を１本としたときは、シートの両側辺と杆材で支持された前辺１３ｆに対向する奥辺１３ｒとが壁パネルの上縁１ｕで支持される。この構造は、天井面のシート材１３ａと壁パネルの上縁１ｕとの間に隙間を生じない点で優れている。
【００２０】
この種の間仕切り構造に用いる壁パネル１は、一般的には強度や耐久性が不十分で、壁が撓んだり傾いたりしやすい。特に壁パネル１の上下縁と連結金具６の嵌合部では、壁パネル１の面硬度が低いために、連結部がずれたり外れたりすることが起こりやすい。本願請求項４の発明は、この問題を解決するためになされたものである。
【００２１】
すなわち本願の請求項４の発明は、上記本願の請求項１、２又は３記載の簡易間仕切り構造において、複数の壁パネル１をその連結部上縁及び下縁に嵌合される嵌合溝７を有する直線金具６ａ及びＬ形金具６ｂを含む連結金具６で連結して区画領域４を形成する簡易間仕切り構造において、前記上縁及び下縁に装着された前記連結金具６相互を上下方向に締結する締結ベルトを備えていることを特徴とするものである。
【００２２】
この構造により、隣接する壁パネル１相互の連結を強固にでき、区画領域４の周囲の壁が変形したり傾いたりするのを防止できる。
【００２３】
更にこの発明の簡易間仕切り構造は、請求項５に記載のように、奥壁３ｂと側壁３ｃとを連結する連結金具６ｃ、６ｄに設けた丸孔２２に挿通して立設した支柱１９と、隣接する当該支柱の先端間に懸吊された奥壁３ｂの上方の遮蔽カーテン２１とを備えたものとすることができ、必要に応じて、居住区画の遮蔽性を容易に高くすることができる。
【００２４】
更にまた、この発明の簡易間仕切り構造は、請求項６に記載のように、区画領域の一部に壁パネルを平面コ字形に連結してその開口面に不透明シートを懸吊した脱衣領域４ｂを備えたものとすることができ、脱衣時の不便を容易に解消することができる。
【発明の効果】
【００２５】
この発明の構造によれば、間仕切りされた各区画領域４に不透明な天井面１３ａを備えた遮蔽性の高いプライベート領域４ａを容易かつ低コストで形成できる。そして、昼間の不要時には杆材１１及び補助杆材１１ｓを区画壁の奥辺側に寄せることによって、区画領域４全体を１つの空間として利用することができ、着替え時や就寝時などの必要時には、杆材１１を必要な位置まで引き出すことにより、所望の大きさのプライベート領域４ａを各区画領域４内に自由に形成できる。
【００２６】
そして、このようなプライベート領域４ａを必要時に自由に形成できることから、壁高さを低くして周囲の視認性を高めることにより、的確な状況判断や相互連携を可能にすると共に、大量生産されているパネル材を使用して、間仕切りを安価でかつ緊急時にも調達が容易な材料で形成できる。
【００２７】
この発明の簡易間仕切り構造の特徴を列記すれば次の通りである。
１  工具を一切使用せずに、人の手だけで男女を問わず組み立てが可能である。
２  壁面及び床に保温材を使用しており、風防効果もある。
３  一室を３０分位で組み立てが出来る。
４  一室の大きさは三帖、四．五帖、六帖、八帖など、種々の大きさが可能で、それらを組合わせることもできる。
５  天井や垂幕の使用も可能である。
６  出入口に戸の取り付けも出来て安心である。
７  着替え等のプライバシーの確保ができる。
８  組み立て解体が容易であり、何回も使用できるため備蓄が可能である。
【発明を実施するための最良の形態】
【００２８】
以下、図面を参照して、この発明の簡易間仕切り構造の実施形態を説明する。図に示したものは、畳の心材や保温壁の心材として用いられている発泡樹脂製の建材パネルを壁パネル１として用いた例で、壁パネル１ａの寸法は９０ｃｍ×１８０ｃｍの矩形、壁パネル１ｂの寸法は９０ｃｍ×９０ｃｍの正方形で、いずれも厚さは２．５〜３ｃｍのものである。
【００２９】
図の例では、矩形の壁パネル１ａを横長にして用いて高さ９０ｃｍの区画壁３ａ、３ｂ、３ｃを形成している。図の例の各区画領域４の大きさは、幅２７０ｃｍ、奥行き３６０ｃｍの６畳間の大きさで、各区画の側壁３ｃは２枚の矩形パネルで形成され、奥壁３ｂは矩形パネルと正方形パネル各１枚とで形成され、通路に面する前壁３ａは、２枚の正方形パネルで形成して、中央部に９０ｃｍ幅の出入口５を設けている。
【００３０】
区画領域４は、ある程度の個数を連結して構築しないと、１個当りのコストが高くなる。一般的には、奥壁３ｂを背中合わせに共有する２つの区画領域を、側壁３ｃを共有させて隣合わせに複数個ないし多数個連結して、一ユニットを形成する。
【００３１】
図９は、隣接する壁パネル１を跨ぐように、その下縁１ｄ及び上縁１ｕに嵌め込んで隣接パネル相互を連結する連結金具６を示したもので、同図（ａ）は隣接する２枚の壁パネルを直線的に連結する直線型の連結金具６ａ、同図（ｂ）は２枚の壁パネルを直角に連結する部分に設けるＬ形の連結金具６ｂ、同図（ｃ）は３枚の壁パネルの端部相互をＴ字形に連結する部分に使用するＴ形の連結金具６ｃ、同図（ｄ）は４枚の壁パネルの端部相互を連結する十字形の連結金具６ｄ、同図（ｅ）は出入口５の敷居を兼ねて、前壁３ａの下縁１ｄ相互を連結するのに使用する連結金具６ｅである。
【００３２】
これらの連結金具６は、板金の両側を直線に沿って９０度より若干大きい角度で折曲げて形成した嵌合溝７を備えており、この嵌合溝７に壁パネル１の上縁及び下縁を嵌合して、隣接する壁パネル相互を連結するものである。
【００３３】
嵌合溝７は、両側壁となる板金部分を９０度より若干大きい角度で折り曲げることにより、開口側（パネルを挿入する側）が若干狭くなった断面形状となっており、その開口端の縁７ａは外側に広げて折り返され、壁パネルの縁を嵌合溝７に容易に案内できるようになっている。嵌合溝７に挿入された連結金具６は、嵌合溝の狭くなった開口側が押し広げられたことによる弾性力で、壁パネルとの嵌合状態を保持する。
【００３４】
Ｌ形ないし十字形の連結金具６ｂ〜６ｄの角部の嵌合溝７が交差する部分には、一辺が壁パネルの厚さと同じ木製の角材からなるスペーサ８が釘で固定して埋められている。また角部を保証する補強板が点溶接ないしねじ止めして固定されており、下縁側の連結金具には、この補強板の床に接する面に滑り止めのゴム板１０が貼着されている。このようなパネルと連結金具で区画された区画領域４の床には、壁パネルを敷き詰めて代用畳１８とする。連結金具に上記のスペーサ８を設けることで、壁パネル１及び代用畳１８として同寸法のパネルをそのまま用いることができる。
【００３５】
各区画領域４には、その両側の側壁３ｃ間に掛け渡した２本の杆材１１と、その中間に配置した１本の補助杆材１１ｓとが設けられている。杆材１１及び補助杆材１１ｓの両端には、図３に示すように、Ｌ形の係止金具１２が固定されている。杆材１１及び補助杆材１１ｓは、このＬ形の係止金具１２の下向きに折れ曲がった先端部１２ａと杆材の端部１１ａとの間に壁パネル１ａの上縁を挿入して引っ掛けた状態で装架されている。従って、杆材１１及び補助杆材１１ｓは、上方へ持上げることによって取り外すことができ、また側壁上縁に沿って滑らせて移動させることができる。
【００３６】
各区画領域４にプライベート領域４ａを形成するためのシート材１３は、２７０ｃｍ×２７０ｃｍのブルーシートを使用している。ブルーシート１３の奥側の辺１３ｒは、奥側の杆材１１に索条で締結され、この奥側の辺から１８０ｃｍ手前側の位置で手前側の杆材１１に締結されている。手前側の杆材１１から前方に延びる部分は、当該杆材１１から垂れ下がって遮蔽面１３ｂを形成し、前後の杆材の間のシート面１３ａは、天井面となっている。
【００３７】
補助杆材１１ｓは、天井面１３ａの中間に位置して、天井面の中央が自重で垂れ下がるのを防止している。
【００３８】
ブルーシートには、その四辺にロープを挿通するための孔が設けられているので、この孔を利用して適宜な紐で杆材１１、１１ｓに締結することができる。
【００３９】
奥壁３ｂを挟んで背中合わせに対向する区画領域の奥側の杆材相互は、奥壁３ｂの上縁両側に密着するように紐で締結して動かないようにする。補助杆材１１ｓは、ブルーシート１３に締結してもしなくてもよい。ブルーシートの側辺は、杆材１１及び補助杆材１１ｓの両端の係止金具１２の部分に締結して、その側辺が側壁３ｃの上縁に載るようにして隙間が生じないようにする。手前側の杆材１１から垂下した遮蔽部１３ｂには、必要により下方から鋏などを用いて切目１３ｃを入れることにより、開閉操作を容易にできる。
【００４０】
プライベート領域を必要としないときは、手前側の杆材１１及び補助杆材１１ｓを奥側の杆材１１に密着するように移動して天井面１３ａを折畳んで開放する。着替え時などには、手前側の杆材１１を必要な長さだけ引き出して、必要とする大きさのプライベート領域を形成する。就寝時には、手前側の杆材１１を一杯に引き出して、図の例では２７０ｃｍ×１８０ｃｍの面積のプライベート領域を形成する。
【００４１】
より大きなプライベート領域を形成できるようにしたいときは、ブルーシートとして２７０ｃｍ×３６０ｃｍの大きさのものを用い、天井面の垂れ下がりを防止する補助杆材１１ｓを２本設けてやればよい。
【００４２】
なお、本願の請求項１の発明は、垂下部１３ｂを設けない形状で、天井面１３ａを形成するブルーシートの前辺に前側の杆材１１を締結する構造である。
【００４３】
２枚の矩形パネル１ａの端部が直線的にのみ連結されている側壁３ｃ中央の連結部は、面直角方向の外力に対する強度が他の連結部に比べて弱くなる。これを補強したいときは、図９（ｇ）に示すように、隣接する２枚のパネルの端部を嵌合する断面Ｈ形の柱１４を十文字形のベース１５上に立設した補助支柱６ｇを用いてやればよい。十字形のベースのパネル１ａに沿う方向のものは、上面に嵌合溝を設けて、連結金具と共用のものとすることができる。このような構造の補助支柱６ｇの断面Ｈ形の柱部分に両側のパネルの端部を挿入しておけば、側壁中央の連結部の撓みやかたがりを防止することができる。
【００４４】
表面が比較的柔らかい発泡樹脂パネルを壁パネル１として用いた構造では、連結金具６で上縁と下縁とを連結しただけでは、比較的小さな外力で壁が揺れ動き、強度や安定性の点で問題が残ることがある。このような場合には、図４に示すように、上下の連結金具６、６を上下方向に締結するベルト１６を準備して、区画壁を組み立てた後、当該ベルト１６で上下の連結金具６、６をパネル１の上下縁に押し付けるように締結してやれば、組み立てた間仕切りの剛性を高めることができる。
【００４５】
更に高い剛性や耐久性を区画壁に付与したいときは、図５に示すように、上縁の隣接する連結金具６、６を繋ぐように、図９（ａ）で示した構造の長さの長い補助金具６ｆを被せ、壁の上縁全体が連結金具６とこの補助金具６ｆで被われるようにし、かつ前述した締結ベルト１６で下縁の連結金具６と上縁の補助金具６ｆの端部間を締結する構造を採用する。これにより、間仕切り壁の上縁の曲がりが阻止され、区画壁の強度が増すと共に、パネル上縁に沿う杆材１１や補助杆材１１ｓの移動操作が円滑になる。
【００４６】
上記構造の簡易間仕切りには、所望の壁面、例えば奥壁３ｂの上方に遮蔽性を高めるためのカーテンを取り付けることができる。図６は、この取付構造を示した図で、奥壁３ｂと側壁３ｃとの交差連結部にパイプ柱１９を立設し、隣接するパイプ柱の先端間に掛け渡した横竿２０にカーテン２１を懸吊した構造である。
【００４７】
パイプ柱１９は、壁パネル上縁の連結金具６ｃ、６ｄの補強板に設けた丸孔２２と、その下方に取り付けた補助板２３に設けた丸孔２４に挿通して立設されている。補助板２３は、直角三角形の板金の直角を挟む二辺に下方に差込鍔２５を折曲げ形成したもので、差込鍔２５を下辺の連結金具６ｃ、６ｄと、その嵌合溝に差し込まれた壁パネル１との間に差し込んで取り付けられる。各区画の床面に敷設した床パネルの角は、この補助板２３の下に入り込むので、パイプ柱１９と床パネルの角部とが干渉するのを避けることができる。
【００４８】
横竿２０は、杆材１１と同様に両端にＬ形の係止金具１２を取り付けておき、このＬ形の係止金具の下方を向いた部分をパイプ柱１９の上端からパイプ内に差し込むことによってパイプ柱１９の先端間に架設される。カーテン２１は、上辺を折り返して縫着することにより形成した竿挿通孔２６に横竿２０を挿通することによって懸吊される。隣接するカーテン相互の間に隙間が生ずるのを避けるために、側辺２１ｂを竿挿通孔２１ａの端部より幅方向に若干伸ばした形状に裁断する。このカーテンもブルーシートで形成することができ、予め竿挿通孔２１ａに横竿２０を挿通して当該横竿に巻き付けておけば備蓄に便利であり、カーテンの取り付けも速やかに行うことができる。なお、パイプ柱１９は、連結金具６ｃ、６ｄのスペーサ８の中心に丸孔２２を貫通すれば補助板２３を用いずに立設でき、横杆２０の長さも同一にすることができる。
【００４９】
また、この発明の簡易間仕切りには、区画壁の一部に壁パネル１を積み重ねて壁高さを高くし、または矩形の壁パネル１ａを縦方向に使うことによって、遮蔽性の高い例えば脱衣スペースなどを設けることができる。図７は、各区画領域の前壁の隅部分に高さ１８０ｃｍの脱衣スペース４ｂを設けた例を示した平面図である。
【００５０】
壁パネルを積重するには、連結金具６を背中合わせにしてボルトナットやスポット溶接で一体化した積重金具２６（図１０参照）を用いる。図８の例では、直線状の積重金具２６ａとＴ形の積重金具２６ｃとを用いて、側壁３ｃの前方部とこれに隣接する前壁３ａの上に９０ｃｍ×９０ｃｍの壁パネル１ｂをそれぞれ積重し、積重した上段の壁パネルの上縁相互をＴ形の連結金具６ｃで連結している。連結金具６及び積重金具２６は、薄い板金製であるので、先に装着した連結金具の上に積重金具を取り付けることも可能である。
【００５１】
例えば、図８の例では、下段の前壁３ａの入口側側縁に高さ９０ｃｍ×幅１５ｃｍの幅狭パネル１ｃを上縁の直線状の連結金具６ａと下縁のＴ形の連結金具６ｃで連結し、その上縁の連結金具６ａの上に直線状の積重金具２６ａを取り付けることによって、上段の前壁３３ａの入口側側辺を支えている。
【００５２】
そして、上段の前壁３３ａの入口側上縁端部に取り付けたＬ形の連結金具６ｂと、幅狭パネル１ｃの下辺を連結しているＴ形の連結金具６ｃとにより、縦方向にした矩形パネルを連結して内壁３３ｂを形成している。
【００５３】
上記構造により、高さ１８０ｃｍのコ字形の壁で囲まれた９０ｃｍ×９０ｃｍの領域が形成されるので、その壁の開放側上端角部に支持桟２７を掛け渡し、この支持桟から開放面にブルーシート１３ｂを垂下すると共に、天井面をブルーシート１３ａで被うことにより、脱衣スペース４ｂを形成している。
【００５４】
入口５の両側の壁パネルの側辺は、前記Ｈ形の柱を備えた補助支柱６ｇで支持し、その柱の入口側の溝に幅７５ｃｍに切断した壁パネル１ｄを上方から差し込んで扉とする。
【００５５】
補助支柱６ｇの上端には、板金をＵ字形に屈曲したフック２８が設けられている。このフック２８に両端にコの字形の金具２９を挿通した締結ベルト３０を引っ掛けて入口両側の壁パネル１ｂ、１ｃの上縁１ｕを若干斜めにして締結することにより、入口側辺の壁パネルを補強している。
【００５６】
以上説明した実施形態の間仕切り構造は、６〜１２区画程度を１ユニットとして、それを構築するのに必要な数の建材パネル、連結金具、補助支柱、杆材、ブルーシート、締結ベルト、積重金具、竿に挿通したカーテン等をまとめ、各体育館などに収容可能な被災者の人数に応じた数のものを備蓄しておくことにより、緊急の際に速やかに構築することができ、被災者に快適な架設の居住空間を提供できる。
【００５７】
そして、必要な材料を予めセットにして備蓄しておくことにより、緊急の際に部材の手配などを必要とせず、組立も極めて簡単なので、被災者が自分で所望のプライベート領域や脱衣領域を備えた間仕切りを構築することが可能である。
【００５８】
そして、この発明によれば、立ち上れば周囲の状況を見渡すことができ、座って食事等をするときには、ある程度の遮蔽性が確保され、かつ必要なときに周囲から遮蔽されたプライベート領域や脱衣領域を形成することができる、構造及び組み立てが簡単で安価な、緊急用の間仕切り構造を提供することができる。
【図面の簡単な説明】
【００５９】
【図１】この発明の簡易間仕切り構造の一例を示す模式的な斜視図
【図２】図１のＡ‐Ａ線矢視図
【図３】図１のＢ矢視図
【図４】上下の連結金具と壁パネルを固定する構造の第１例を示す斜視図
【図５】同第２例を示す斜視図
【図６】奥壁の上方に遮蔽カーテンを設けた斜視図
【図７】脱衣スペースを設けた例を示す平面図
【図８】脱衣スペースとその周辺構成を示す斜視図
【図９】連結金具の例を示す斜視図
【図１０】積重金具の例を示す斜視図
【符号の説明】
【００６０】
１  壁パネル
3b  奥壁
3c  側壁
４  区画領域
4b  脱衣領域
6(a〜d)  連結金具
７  嵌合溝
11  杆材
12  係止金具
13  シート材
16  締結ベルト
17  連結部
19  パイプ柱
21  カーテン
【図１】
2006194043.tif 000003
【図２】
2006194043.tif 000004
【図３】
2006194043.tif 000005
【図４】
2006194043.tif 000006
【図５】
2006194043.tif 000007
【図６】
2006194043.tif 000008
【図７】
2006194043.tif 000009
【図８】
2006194043.tif 000010
【図９】
2006194043.tif 000011
【図１０】
2006194043.tif 000012
【手続補正書】
【提出日】平成18年5月18日(2006.5.18)
【手続補正１】
【補正対象書類名】特許請求の範囲
【補正対象項目名】全文
【補正方法】変更
【補正の内容】
【特許請求の範囲】
【請求項１】
複数の壁パネルをその連結部上縁及び下縁に嵌合される嵌合溝を有する直線金具及びＬ形金具を含む連結金具で連結して区画領域を形成する簡易間仕切り構造において、両端を上記壁パネルの上縁間に移動ないし嵌脱可能に係止される杆材と、この杆材で一辺を支持されて前記区画領域の少なくとも一部の天井面を覆うように覆着される不透明シート材を備えている、簡易間仕切り構造。
【請求項２】
複数の壁パネルをその連結部上縁及び下縁に嵌合される嵌合溝を有する直線金具及びＬ形金具を含む連結金具で連結して区画領域を形成する簡易間仕切り構造において、両端を上記壁パネルの上縁間に移動ないし嵌脱可能に係止される杆材と、この杆材で支持されて当該杆材から延びる一側が垂下され他側が前記区画領域の少なくとも一部の天井面を覆うように覆着される不透明シート材とを備えている、簡易間仕切り構造。
【請求項３】
両端を上記壁パネルの上縁間に移動ないし嵌脱可能に係止されて前記天井面を形成しているシート材の中間部を支持する補助杆材を備えている、請求項１又は２記載の簡易間仕切り構造。
【請求項４】
奥壁(3b)と側壁(3c)とを連結する連結金具(6c,6d)に設けた丸孔(22)に挿通して立設した支柱(19)と、隣接する当該支柱の先端間に懸吊された奥壁(3b)の上方の遮蔽カーテン(21)とを備えた、請求項１、２又は３記載の簡易間仕切り構造。
【請求項５】
区画領域の一部に壁パネルを平面コ字形に連結してその開口面に不透明シートを懸吊した脱衣領域(4b)を備えている、請求項１から４のいずれか１に記載の簡易間仕切り構造。
【手続補正２】
【補正対象書類名】明細書
【補正対象項目名】００２０
【補正方法】変更
【補正の内容】
【００２０】
この種の間仕切り構造に用いる壁パネル１は、一般的には強度や耐久性が不十分で、壁が撓んだり傾いたりしやすい。特に壁パネル１の上下縁と連結金具６の嵌合部では、壁パネル１の面硬度が低いために、連結部がずれたり外れたりすることが起こりやすい。
【手続補正３】
【補正対象書類名】明細書
【補正対象項目名】００２１
【補正方法】変更
【補正の内容】
【００２１】
この問題は、上記構造の簡易間仕切り構造、すなわち、複数の壁パネル１をその連結部上縁及び下縁に嵌合される嵌合溝７を有する直線金具６ａ及びＬ形金具６ｂを含む連結金具６で連結して区画領域４を形成する簡易間仕切り構造において、前記上縁及び下縁に装着された前記連結金具６相互を上下方向に締結する締結ベルトを設けることによって解決することができる。
【手続補正４】
【補正対象書類名】明細書
【補正対象項目名】００２３
【補正方法】変更
【補正の内容】
【００２３】
更にこの発明の簡易間仕切り構造は、請求項４に記載のように、奥壁３ｂと側壁３ｃとを連結する連結金具６ｃ、６ｄに設けた丸孔２２に挿通して立設した支柱１９と、隣接する当該支柱の先端間に懸吊された奥壁３ｂの上方の遮蔽カーテン２１とを備えたものとすることができ、必要に応じて、居住区画の遮蔽性を容易に高くすることができる。
【手続補正５】
【補正対象書類名】明細書
【補正対象項目名】００２４
【補正方法】変更
【補正の内容】
【００２４】
更にまた、この発明の簡易間仕切り構造は、請求項５に記載のように、区画領域の一部に壁パネルを平面コ字形に連結してその開口面に不透明シートを懸吊した脱衣領域４ｂを備えたものとすることができ、脱衣時の不便を容易に解消することができる。